(57)【要約】【課題】屋内やフリンジエリアにおいても携帯端末にワンセグの放送信号を安定して輻射できるワンセグ放送信号再輻射装置を提供する。【解決手段】ワンセグ放送信号再輻射装置１は、地上デジタル放送を受信可能な屋外アンテナＡからの放送信号を、外部のアンテナ端子Ｔ０から入力する端子（放送信号入力手段）Ｔ１と、入力された放送信号を、ワンセグ放送の放送信号を受信するアンテナを有する携帯端末Ｍに輻射するアンテナＡＮＴとを備えることを特徴とする。また、ワンセグ放送信号再輻射装置１は、入力された放送信号の入力レベルを検知する入力レベル検知部（入力レベル検知手段）２と、検知された入力レベルに応じて、輻射される放送信号の出力レベルを所定値まで減衰させる減衰器（入力レベル減衰手段）３とを更に備えることを特徴とする。【選択図】図１
2008263531.tif 000002
【特許請求の範囲】
【請求項１】
ワンセグ放送の放送信号を受信するアンテナを有する携帯端末に、前記放送信号を輻射するワンセグ放送信号再輻射装置であって、
地上デジタル放送を受信可能な屋外アンテナからの放送信号を、外部のアンテナ端子から入力する放送信号入力手段と、
この放送信号入力手段によって入力された放送信号を輻射する放送信号輻射手段と、
を備えることを特徴とするワンセグ放送信号再輻射装置。
【請求項２】
前記放送信号入力手段によって入力された放送信号の入力レベルを検知する入力レベル検知手段と、
前記入力レベル検知手段によって検知された入力レベルに応じて、前記放送信号の出力レベルを所定値まで減衰させる入力レベル減衰手段と、
を更に備え、
前記放送信号輻射手段が、前記入力レベル減衰手段によって出力レベルの減衰された放送信号を輻射することを特徴とする請求項１に記載のワンセグ放送信号再輻射装置。
【請求項３】
外部の電源からの電源電圧を、前記放送信号入力手段によって入力された放送信号に重畳する重畳手段と、
前記重畳手段によって重畳された放送信号と電源電圧とを分離する分離手段と、
前記携帯端末の給電用の外部入力端子に接続されて、前記分離手段によって分離された電源電圧を前記携帯端末に供給する電源電圧供給手段と、
を更に備え、
前記放送信号輻射手段が、前記分離手段によって分離された放送信号を輻射することを特徴とする請求項１に記載のワンセグ放送信号再輻射装置。
【請求項４】
外部の電源からの電源電圧を、前記放送信号入力手段によって入力された放送信号に重畳する重畳手段を更に備え、
前記放送信号輻射手段が、前記携帯端末の給電用の外部入力端子に接続されて、前記重畳手段によって重畳された電源電圧を前記携帯端末に供給するとともに、前記重畳手段によって重畳された放送信号を輻射することを特徴とする請求項１に記載のワンセグ放送信号再輻射装置。
【発明の詳細な説明】
【技術分野】
【０００１】
本発明は、ワンセグ放送の放送信号を携帯端末に輻射するワンセグ放送信号再輻射装置に関する。
【背景技術】
【０００２】
従来、携帯電話等の携帯端末を受信対象とした地上デジタルテレビジョン放送（以下、地上デジタル放送と言う）として、携帯電話・移動体端末（以下、携帯端末と言う）向けの１セグメント部分受信サービス（以下、ワンセグと言う）が提供されている。ここで、テレビジョン放送の放送信号は、１３のチャンネルの各々が１３のセグメントに分かれており、携帯端末向けに対して１セグメントを割り当てて、低解像度の放送が行われている。
【０００３】
また、アンテナで受信された電波を、当該電波を受信するための携帯端末に再輻射する技術が開示されている（特許文献１〜特許文献３参照）。例えば、特許文献１に記載のシステムは、鉄道車両に設置されたアンテナによって衛星放送の放送信号を受信し、この放送信号を増幅して再輻射することで、車両内の携帯受信端末等の表示装置に衛星放送を配信するものである。
【特許文献１】特開２００５−１３０１８２号公報（段落番号００５６〜００５９）
【特許文献２】特開２００３−５７３３０号公報（段落番号００１５〜００５８）
【特許文献３】特開２０００−２２４８２号公報（段落番号０００９）
【発明の開示】
【発明が解決しようとする課題】
【０００４】
しかしながら、このワンセグ用の携帯端末は、屋外では良好に受信できるものの、屋内や、建物の陰などによるテレビの受像不良地域であるフリンジエリアではほとんど受信できない。そして、このワンセグの普及を促進するためにも、例えば、電気店等においてサービスの内容を見せたり、体験させたりすることが重要であり、屋内でも安定して携帯端末にワンセグ放送を受信させることが望まれていた。
【０００５】
また、特許文献１に記載のシステムは、鉄道車両が山間部、ビルやトンネル内等の電波の伝搬の妨げになる地域においては地上波の放送信号を受信できないために、衛星放送を受信して車両内に再輻射するものであり、地上デジタル放送の電波が低電界の場所において、ワンセグ用の携帯端末にワンセグ放送を受信させることはできない。
【０００６】
本発明は、前記従来技術の問題を解決するために成されたもので、屋内やフリンジエリアにおいても携帯端末にワンセグの放送信号を安定して輻射できるワンセグ放送信号再輻射装置を提供することを目的とする。
【課題を解決するための手段】
【０００７】
前記課題を解決するため、請求項１に記載のワンセグ放送信号再輻射装置は、ワンセグ放送の放送信号を受信するアンテナを有する携帯端末に、前記放送信号を輻射するワンセグ放送信号再輻射装置であって、地上デジタル放送を受信可能な屋外アンテナからの放送信号を、外部のアンテナ端子から入力する放送信号入力手段と、この放送信号入力手段によって入力された放送信号を輻射する放送信号輻射手段とを備える構成とした。
【０００８】
これによって、ワンセグ放送信号再輻射装置は、外部のアンテナ端子から、屋外アンテナによって受信された放送信号を入力して輻射することができる。
【０００９】
また、請求項２に記載のワンセグ放送信号再輻射装置は、請求項１に記載のワンセグ放送信号再輻射装置において、前記放送信号入力手段によって入力された放送信号の入力レベルを検知する入力レベル検知手段と、前記入力レベル検知手段によって検知された入力レベルに応じて、前記放送信号の出力レベルを所定値まで減衰させる入力レベル減衰手段とを更に備え、前記放送信号輻射手段が、前記入力レベル減衰手段によって出力レベルの減衰された放送信号を輻射する構成とした。
【００１０】
これによって、ワンセグ放送信号再輻射装置は、放送信号の電波の出力レベルを所定値以下にして輻射することができる。
【００１１】
更に、請求項３に記載のワンセグ放送信号再輻射装置は、請求項１に記載のワンセグ放送信号再輻射装置において、外部の電源からの電源電圧を、前記放送信号入力手段によって入力された放送信号に重畳する重畳手段と、前記重畳手段によって重畳された放送信号と電源電圧とを分離する分離手段と、前記携帯端末の給電用の外部入力端子に接続されて、前記分離手段によって分離された電源電圧を前記携帯端末に供給する電源電圧供給手段とを更に備え、前記放送信号輻射手段が、前記分離手段によって分離された放送信号を輻射する構成とした。
【００１２】
これによって、ワンセグ放送信号再輻射装置は、携帯端末に給電するとともに、放送信号を輻射することができる。なお、電源電圧供給手段と携帯端末の給電用の外部入力端子との接続とは、電気的な接続を意味する。つまり、電源電圧供給手段と外部入力端子とが直接接触して接続されてもよいし、ケーブルや端子等の導電体や半導体を介して接続されてもよい。
【００１３】
また、請求項４に記載のワンセグ放送信号再輻射装置は、請求項１に記載のワンセグ放送信号再輻射装置において、外部の電源からの電源電圧を、前記放送信号入力手段によって入力された放送信号に重畳する重畳手段を更に備え、前記放送信号輻射手段が、前記携帯端末の給電用の外部入力端子に接続されて、前記重畳手段によって重畳された電源電圧を前記携帯端末に供給するとともに、前記重畳手段によって重畳された放送信号を輻射する構成とした。
【００１４】
これによって、ワンセグ放送信号再輻射装置は、放送信号輻射手段を携帯端末の外部接続端子に接続して、携帯端末に給電するとともに、放送信号を輻射することができる。なお、放送信号輻射手段と携帯端末の給電用の外部入力端子との接続とは、電気的な接続を意味する。つまり、放送信号輻射手段と外部入力端子とが直接接触して接続されてもよいし、ケーブルや端子等の導電体や半導体を介して接続されてもよい。
【発明の効果】
【００１５】
本発明に係るワンセグ放送信号再輻射装置では、以下のような優れた効果を奏する。請求項１に記載の発明によれば、屋内やフリンジエリアにおいても携帯端末にワンセグ放送を安定して受信させることができる。これによって、携帯端末のユーザは、屋内においてもワンセグ放送を視聴することが可能になる。また、電気店等においてワンセグ用の携帯端末のサービスの内容を見せたり、体験させたりするも可能になり、ワンセグの普及の促進に寄与できる。
【００１６】
更に、地上デジタル放送を視聴するために予め設置されている屋外アンテナからの放送信号を、屋内等に予め設置された壁面端子等のアンテナ端子から入力することができる。そのため、ユーザはワンセグ放送信号再輻射装置をアンテナ端子に接続するだけで、携帯端末にワンセグ放送を受信させることができ、利便性が高い。
【００１７】
請求項２に記載の発明によれば、放送信号の電波の出力レベルを所定値以下にして輻射することができる。そして、この所定値を、無線の運用に免許が必要となる出力レベル以下とすれば、一般のユーザにも運用が可能になる。
【００１８】
請求項３に記載の発明によれば、放送信号に電源電圧を重畳することで、この信号を伝送するケーブルを１本にすることができる。そのため、ケーブルを延長させる場合にも、１本のケーブルを継ぎ足すだけでよく、また、配線を簡素化でき、利便性を向上させることができる。
【００１９】
請求項４に記載の発明によれば、放送信号輻射手段を携帯端末の外部接続端子に接続して放送信号を輻射することで、高いカップリング効率が得られるとともに、放送信号輻射手段を携帯端末の外部接続端子に接続するだけで、給電と放送信号の輻射とを行うことができる。また、放送信号輻射手段を携帯端末の外部接続端子に直接接続する場合にも、外部接続端子が強度面で安定しているため、放送信号輻射手段の接続に適している。
【発明を実施するための最良の形態】
【００２０】
以下、本発明の実施の形態について図面を参照して説明する。
［ワンセグ放送信号再輻射装置の構成（第１の実施の形態）］
図１を参照して、本発明の第１の実施の形態であるワンセグ放送信号再輻射装置１の構成について説明する。図１は、本発明の第１の実施の形態であるワンセグ放送信号再輻射装置の構成を模式的に示す構成図である。
【００２１】
ワンセグ放送信号再輻射装置１は、放送信号（ＲＦ）を外部のアンテナ端子Ｔ０（例えば、壁面端子）から入力して、所定値以下の出力レベルで外部の携帯端末Ｍに輻射するものである。ここでは、ワンセグ放送信号再輻射装置１は、端子Ｔ１と、入力レベル検知部２と、減衰器３と、アンテナＡＮＴとを備える。
【００２２】
ここでは、携帯端末Ｍは、ワンセグ放送を受信可能な携帯電話等であり、ワンセグ放送を受信するためのアンテナ（図示せず）と、給電用の外部入力端子（図示せず）とを有している。なお、ワンセグ放送信号再輻射装置１は、壁面端子から直接、放送信号を入力することとしてもよいし、壁面端子からケーブルや電子機器等を介して放送信号を入力することとしてもよい。
【００２３】
端子（放送信号入力手段）Ｔ１は、外部のアンテナ端子Ｔ０に接続されて、アンテナ端子Ｔ０に接続された放送信号を受信する屋外アンテナＡによって受信された放送信号を入力するものである。ここで入力された放送信号は、入力レベル検知部２に出力される。
【００２４】
入力レベル検知部（入力レベル検知手段）２は、外部のアンテナ端子Ｔ０からの放送信号の入力レベルを検知して、スイッチ（図示せず）を端子ｓ１と端子ｓ２とのいずれかに切り替えるものである。ここで、入力レベル検知部２は、検知した入力レベルが所定値以下の場合には、スイッチを端子ｓ１に接続して放送信号をアンテナＡＮＴに出力し、検知した入力レベルが所定値を超える場合には、スイッチを端子ｓ２に接続して放送信号を減衰器３に出力する。また、検知した入力レベルが所定値を超える場合には、入力レベル検知部２は、この入力レベルを減衰器３に通知する。
【００２５】
なお、この所定値は、後記するアンテナＡＮＴから３ｍ離れた位置において、当該アンテナＡＮＴから輻射される電波の電界強度が３５μＶ／ｍ（３１ｄＢμＶ／ｍ）となる出力レベルの値とした。ここで、アンテナ利得を０ｄＢ、整合損失を０ｄＢとすると、アンテナＡＮＴから３ｍ離れた位置において電波の電界強度が３５μＶ／ｍ（３１ｄＢμＶ／ｍ）となる出力レベルは、４２．５ｄＢμＶとなり、ここでは、この値を所定値とした。そして、無線施設から３ｍ離れた距離での電界強度が３５μＶ／ｍ（３１ｄＢμＶ／ｍ）以下であれば、無線の運用に免許が必要ないため、アンテナＡＮＴからの電波の出力レベルをこの所定値以下とすることで、免許を持たない一般のユーザにもワンセグ放送信号再輻射装置１の運用が可能になる。なお、所定値は前記の値に限定されず、アンテナ利得や整合損失等に応じて、無線の運用に免許を必要としない出力レベル（アンテナＡＮＴから３ｍ離れた位置において電界強度が３５μＶ／ｍ（３１ｄＢμＶ／ｍ）以下となる出力レベル）の値を適宜求めて設定することができる。
【００２６】
減衰器（入力レベル減衰手段）３は、入力レベル検知部２から通知された放送信号の入力レベルに基づいて、入力された放送信号の出力レベルを前記の所定値まで減衰させるものである。この減衰器３は、例えば、可変アッテネータによって実現することができる。ここで減衰された放送信号は、アンテナＡＮＴに出力される。
【００２７】
アンテナ（放送信号輻射手段）ＡＮＴは、入力レベル検知部２もしくは減衰器３から入力された放送信号を輻射するものである。
【００２８】
これによって、ワンセグ放送信号再輻射装置１は、放送信号の電波を安定して受信できる場所にある屋外アンテナＡによって受信された放送信号をアンテナ端子Ｔ０から入力して、携帯端末Ｍに輻射することができる。そのため、ワンセグ放送の放送波を安定して受信しにくい屋内においても、ワンセグ放送信号再輻射装置１は、携帯端末Ｍに安定してワンセグ放送を受信させることができる。そして、屋内において地上デジタル放送を視聴するために予め設置されている屋外アンテナＡやアンテナ端子Ｔ０からワンセグ放送の放送信号を入力することができるため、輻射するワンセグ放送を受信するためのアンテナ（図示せず）を、ワンセグ放送信号再輻射装置１が備えている必要がない。そのため、ワンセグ放送信号再輻射装置１は、屋内のアンテナ端子Ｔ０に接続するだけでよいうえに、すでにある屋外アンテナＡやアンテナ端子Ｔ０や携帯端末Ｍをそのまま利用でき、利便性が高く、かつ、安価に製造することが可能である。
【００２９】
また、アンテナＡＮＴからの電波の出力レベルを、無線の運用に免許が必要となるレベル以下とすることで、一般のユーザにも運用が可能なワンセグ放送信号再輻射装置１となる。なお、ここでは、屋外アンテナＡが屋外にあり、ワンセグ放送信号際輻射装置１が、ワンセグ放送の電波の届きにくい屋内において携帯端末Ｍにワンセグ放送の放送信号を輻射する場合を例に説明したが、本発明のワンセグ放送信号際輻射装置１は、屋内に限定されず、例えば、フリンジエリアにおいて、放送信号の受信できる位置にある屋外アンテナＡからの放送信号を入力して輻射することとしてもよい。
【００３０】
［ワンセグ放送信号再輻射装置の動作（第１の実施の形態）］
次に、図２を参照（適宜図１参照）して、本発明の第１の実施の形態であるワンセグ放送信号再輻射装置１の動作について説明する。図２は、本発明の第１の実施の形態であるワンセグ放送信号再輻射装置の動作を示したフローチャートである。
【００３１】
まず、ワンセグ放送信号再輻射装置１は、アンテナ端子Ｔ０からの放送信号を端子Ｔ１から入力する（ステップＳ１１）。続いて、ワンセグ放送信号再輻射装置１は、入力レベル検知部２によって、ステップＳ１１において入力された放送信号の入力レベルを検知する（ステップＳ１２）。
【００３２】
更に、ワンセグ放送信号再輻射装置１は、入力レベル検知部２によって、ステップＳ１２において検知された入力レベルが所定値以下かを判断する（ステップＳ１３）。そして、所定値以下である場合には（ステップＳ１３でＹｅｓ）、ワンセグ放送信号再輻射装置１は、入力レベル検知部２によってスイッチを端子ｓ１に切り替えて、ステップＳ１５に進む。一方、所定値以下でない場合には（ステップＳ１３でＮｏ）、ワンセグ放送信号再輻射装置１は、入力レベル検知部２によってスイッチを端子ｓ２に切り替えて、減衰器３によって、ステップＳ１２において検知された入力レベルに基づいて、放送信号の出力レベルを所定値まで減衰し（ステップＳ１４）、ステップＳ１５に進む。
【００３３】
そして、ワンセグ放送信号再輻射装置１は、アンテナＡＮＴによって、放送信号を輻射する（ステップＳ１５）。ここで、アンテナＡＮＴによって輻射される放送信号は、ステップＳ１３において入力レベル検知部２によって入力レベルが所定値以下と判定された場合には、ステップＳ１１において入力された放送信号であり、入力レベルが所定値以下でないと判定された場合には、ステップＳ１４において減衰された放送信号となる。これによって、ワンセグ放送信号再輻射装置１は、アンテナ端子Ｔ０からの放送信号を、出力レベルを所定値以下にして輻射することができる。
【００３４】
［ワンセグ放送信号再輻射装置の構成（第２の実施の形態）］
図３を参照して、本発明の第２の実施の形態であるワンセグ放送信号再輻射装置１Ａの構成について説明する。図３は、本発明の第２の実施の形態であるワンセグ放送信号再輻射装置の構成を模式的に示す構成図である。
【００３５】
ワンセグ放送信号再輻射装置１Ａは、携帯端末Ｍに給電するとともに、放送信号（ＲＦ）を外部のアンテナ端子（図示せず）から入力して、携帯端末Ｍに輻射するものである。ここでは、ワンセグ放送信号再輻射装置１Ａは、端子Ｔ１Ａ、Ｔ２Ａ、Ｔ３Ａと、電源重畳部４Ａと、アンテナカプラ部５Ａとを備える。
【００３６】
端子（放送信号入力手段）Ｔ１Ａは、外部のアンテナ端子に接続されて、アンテナ端子に接続された放送信号を受信する外部の屋外アンテナ（図示せず）によって受信された放送信号を入力するものである。ここで入力された放送信号は、電源重畳部４ＡのコンデンサＣ１に出力される。
【００３７】
端子Ｔ２Ａは外部の電源（図示せず）に接続されて、電源からの直流（ＤＣ）を入力するものである。ここで入力された直流は、電源重畳部４ＡのコイルＬ１に出力される。
【００３８】
電源重畳部（重畳手段）４Ａは、外部の電源（図示せず）からの直流電圧（電源電圧）と、アンテナ端子からの放送信号とを重畳するものである。ここでは、電源からの直流の伝送される配線が、放送信号の配線に接続されており、コンデンサＣ１の後段において放送信号にコイルＬ１を介して直流電圧が印加されることで、放送信号に直流電圧が重畳される。電源重畳部４Ａは、コンデンサＣ１と、コイルＬ１とを備える。ここで、直流電圧の重畳された放送信号は、アンテナカプラ部５Ａに入力する。
【００３９】
なお、ここでは、放送信号の配線に同軸ケーブルを用い、当該同軸ケーブルに直流電圧を重畳することとした。そして、ワンセグ放送信号再輻射装置１Ａは、電源重畳部４Ａとアンテナカプラ部５Ａとの間の配線が１本の同軸ケーブルとなり、配線を簡素化することができる。また、電源重畳部４Ａとアンテナカプラ部５Ａとの間において、同軸ケーブルを継ぎ足すことで、容易に配線を延長することができる。
【００４０】
コンデンサＣ１は、放送信号から直流を除去するものである。このコンデンサＣ１は、例えば、積層セラミックコンデンサを用いることができる。コイルＬ１は、直流から高周波を除去するものである。このコイルＬ１は、例えば、チョークコイルを用いることができる。
【００４１】
アンテナカプラ部５Ａは、電源重畳部４Ａによって重畳された放送信号と直流電圧とを分離して、直流電圧を携帯端末Ｍに印加し、放送信号を輻射するものである。アンテナカプラ部５Ａは、分離手段５１Ａと、整合器５２Ａと、フィーダ５３Ａと、終端抵抗Ｒ１とを備える。
【００４２】
分離手段５１Ａは、電源重畳部４Ａによって重畳された放送信号と直流電圧とを分離するものである。ここでは、分離手段５１Ａは、コンデンサＣ２と、コイルＬ２とを備える。コンデンサＣ２は、電源重畳部４Ａによって重畳された信号から直流を除去するものである。このコンデンサＣ１は、例えば、積層セラミックコンデンサを用いることができる。コイルＬ２は、電源重畳部４Ａによって重畳された信号から高周波を除去するものである。このコイルＬ２は、例えば、チョークコイルを用いることができる。
【００４３】
ここでは、電源重畳部４Ａによって重畳された放送信号と直流電圧との伝送される配線が分岐されており、一方の配線はコンデンサＣ２に接続され、他方の配線はコイルＬ２に接続されていることで、電源重畳部４Ａによって重畳された信号から放送信号と直流電圧とが分離される。ここで分離された放送信号は、整合器５２Ａに入力される。また、ここで分離された直流電圧は、端子Ｔ３Ａから外部入力端子（図示せず）を介して携帯端末Ｍに印加される。
【００４４】
整合器５２Ａは、同軸ケーブルの配線とフィーダ５３Ａとを接続するものである。フィーダ（放送信号輻射手段）５３Ａは、分離手段５１Ａによって分離された放送信号を伝送して、輻射するものである。なお、このフィーダ５３Ａの代わりに、放送信号を輻射する様々なものを放送信号輻射手段として用いることができ、例えば、マイクロストリップ回路を用いることとしてもよい。終端抵抗Ｒ１は、フィーダ５３Ａの末端での放送信号のエネルギーを消費させる抵抗器であり、放送信号の不要な反射を防ぐためのものである。
【００４５】
端子（電源電圧供給手段）Ｔ３Ａは携帯端末Ｍの外部入力端子（図示せず）に接続されて、アンテナカプラ部５Ａからの直流を携帯端末Ｍに給電するものである。
【００４６】
これによって、ワンセグ放送信号再輻射装置１Ａは、電源からの直流を携帯端末Ｍに給電するとともに、放送信号を携帯端末Ｍに輻射することができる。ここで、ワンセグ放送を屋内で視聴する場合には長時間の利用が想定され、給電しながら視聴できることが望ましい。そして、例えば、携帯端末Ｍに給電（充電）するための卓上ホルダ（図示せず）等に、アンテナカプラ部５Ａと、端子Ｔ３Ａとを内蔵させることで、ユーザは、携帯端末Ｍを卓上ホルダに設置すると、ワンセグ放送信号再輻射装置１Ａは、携帯端末Ｍに給電しながら、携帯端末Ｍの近傍において放送信号を輻射することができる。
【００４７】
［ワンセグ放送信号再輻射装置の動作（第２の実施の形態）］
次に、図４を参照（適宜図３参照）して、本発明の第２の実施の形態であるワンセグ放送信号再輻射装置１Ａの動作について説明する。図４は、本発明の第２の実施の形態であるワンセグ放送信号再輻射装置の動作を示したフローチャートである。
【００４８】
まず、ワンセグ放送信号再輻射装置１Ａは、図示しないアンテナ端子からの放送信号を端子Ｔ１Ａから入力するとともに、図示しない電源からの直流を端子Ｔ２Ａから入力する（ステップＳ２１）。続いて、ワンセグ放送信号再輻射装置１Ａは、電源重畳部４Ａによって、ステップＳ２１において入力された放送信号と直流電圧とを重畳する（ステップＳ２２）。
【００４９】
更に、ワンセグ放送信号再輻射装置１Ａは、アンテナカプラ部５Ａの分離手段５１Ａによって、ステップＳ２２において重畳された放送信号と直流電圧とを分離する（ステップＳ２３）。そして、ワンセグ放送信号再輻射装置１Ａは、端子Ｔ３Ａから、携帯端末Ｍの外部接続端子を介して、ステップＳ２３において分離された直流電圧を印加するとともに、整合器５２Ａを介して接続されたフィーダ５３Ａによって、ステップＳ２３において分離された放送信号を輻射する（ステップＳ２４）。
【００５０】
なお、ワンセグ放送信号再輻射装置１Ａが、ワンセグ放送信号再輻射装置１（図１参照）の入力レベル検知部２及び減衰器３を更に備え、携帯端末Ｍに給電するとともに、外部のアンテナ端子からの放送信号を所定値以下の出力レベルで携帯端末Ｍに輻射するものとしてもよい。このとき、入力レベル検知部２及び減衰器３は、端子Ｔ１Ａと、電源からの直流の配線と、放送信号の配線とが接続された接続部との間、あるいは、コンデンサＣ２とフィーダ５３Ａとの間に設置されることが好ましい。
【００５１】
［ワンセグ放送信号再輻射装置の構成（第３の実施の形態）］
図５を参照して、本発明の第３の実施の形態であるワンセグ放送信号再輻射装置１Ｂの構成について説明する。図５は、本発明の第３の実施の形態であるワンセグ放送信号再輻射装置の構成を模式的に示す構成図である。
【００５２】
ワンセグ放送信号再輻射装置１Ｂは、携帯端末Ｍに給電するとともに、放送信号（ＲＦ）を外部のアンテナ端子（図示せず）から入力して、携帯端末Ｍに輻射するものである。ここでは、ワンセグ放送信号再輻射装置１Ｂは、端子Ｔ１Ｂ、Ｔ２Ｂ、Ｔ３Ｂと、電源重畳部４Ｂと、増幅器６Ｂとを備える。
【００５３】
端子（放送信号入力手段）Ｔ１Ｂは、外部のアンテナ端子に接続されて、アンテナ端子に接続された放送信号を受信する外部の屋外アンテナ（図示せず）によって受信された放送信号を入力するものである。ここで入力された放送信号は増幅器６Ｂに出力される。
【００５４】
端子Ｔ２Ｂは外部の電源（図示せず）に接続されて、電源からの直流（ＤＣ）を入力するものである。ここで入力された直流は、電源重畳部４Ｂに出力される。
【００５５】
電源重畳部（重畳手段）４Ｂは、外部の電源（図示せず）からの直流電圧（電源電圧）と、アンテナ端子からの放送信号とを重畳するものである。ここでは、電源からの直流の伝送される配線が、放送信号の配線に接続されており、放送信号に直流電圧が印加されることで、放送信号に直流電圧が重畳される。ここで、直流電圧の重畳された放送信号は、端子Ｔ３Ｂに入力する。
【００５６】
増幅器６Ｂは、入力された放送信号の出力レベルを増幅させるものである。この増幅器６Ｂは、ＵＨＦブースタ（例えば、日本アンテナ（登録商標）製ＤＵＬ１８）等によって実現することができる。ここで増幅された放送信号は、電源重畳部４Ｂに出力される。
【００５７】
端子（放送信号輻射手段）Ｔ３Ｂは携帯端末Ｍの外部入力端子（図示せず）に接続されて、電源重畳部４Ｂによって重畳された放送信号を輻射するとともに、電源重畳部４Ｂによって重畳された直流電圧を携帯端末Ｍに印加するものである。
【００５８】
ここで、携帯端末Ｍのアンテナ（図示せず）、外部接続端子（図示せず）及び筐体（図示せず）のそれぞれの部位に対して、アンテナ端子（図示せず）に接続されたケーブルの先端を接触もしくは接近させた場合には、すべての部位において接近させるより接触させた方がカップリング効率が高い。また、アンテナ、外部接続端子、筐体の順にカップリング効率が高い。
【００５９】
一方、放送信号を輻射する端子（図示せず）をアンテナに直接接続すると、ユーザがワンセグ放送を視聴するたびに接続する必要が生じるうえに、アンテナに強度面での負担がかかる。一方、ワンセグ放送を長時間視聴する際には、携帯端末Ｍの外部接続端子を電源に接続して利用することが想定される。そこで、ワンセグ放送信号再輻射装置１Ｂは、カップリング効率が高く、かつ、接続によって強度面での負担がかからず、視聴の際に電源に接続される携帯端末Ｍの外部接続端子に対して、電源電圧を印加するとともに放送信号を輻射することとした。
【００６０】
このように、ワンセグ放送信号再輻射装置１Ｂは、端子Ｔ３Ｂを携帯端末Ｍの外部接続端子に接触させて放送信号を輻射することで、高いカップリング効率が得られるとともに、放送信号を受信するためだけに、ユーザが放送信号を輻射する端子を携帯端末Ｍのアンテナ等に取り付ける手間が生じない。更に、携帯端末Ｍの外部接続端子は、電源からの端子を接続するためのものであり、外部から端子Ｔ３Ｂを接触させても強度面において安定している。
【００６１】
［ワンセグ放送信号再輻射装置の動作（第３の実施の形態）］
次に、図６を参照（適宜図５参照）して、本発明の第３の実施の形態であるワンセグ放送信号再輻射装置１Ｂの動作について説明する。図６は、本発明の第３の実施の形態であるワンセグ放送信号再輻射装置の動作を示したフローチャートである。
【００６２】
まず、ワンセグ放送信号再輻射装置１Ｂは、図示しないアンテナ端子からの放送信号を端子Ｔ１Ｂから入力するとともに、図示しない電源からの直流を端子Ｔ２Ｂから入力する（ステップＳ３１）。続いて、ワンセグ放送信号再輻射装置１Ｂは、増幅器６Ｂによって、ステップＳ３１において入力された放送信号を増幅する（ステップＳ３２）。
【００６３】
更に、ワンセグ放送信号再輻射装置１Ｂは、電源重畳部４Ｂによって、ステップＳ３２において増幅された放送信号と、ステップＳ３１において入力された直流電圧とを重畳する（ステップＳ３３）。そして、ワンセグ放送信号再輻射装置１Ａは、端子Ｔ３Ａから、携帯端末Ｍの外部接続端子を介して、ステップＳ３３において重畳された直流電圧を印加するとともに、放送信号を輻射する（ステップＳ３４）。
【００６４】
［ワンセグ放送信号再輻射装置の適用例（第３の実施の形態）］
図７を参照（適宜図５参照）して、本発明の第３の実施の形態であるワンセグ放送信号再輻射装置１Ｂの適用例について説明する。図７は、本発明の第３の実施の形態であるワンセグ放送信号再輻射装置の適用例を模式的に示す斜視図である。
【００６５】
図７に示すように、ワンセグ放送信号再輻射装置１Ｂは、放送信号を入力する端子Ｔ１Ｂと、直流を入力する端子Ｔ２Ｂと、直流と放送信号とを図示しない携帯端末に出力する端子Ｔ３Ｂと、ワンセグ放送信号再輻射装置１Ｂの上部（携帯端末の卓上ホルダ）の電源重畳部４Ｂと、ワンセグ放送信号再輻射装置１Ｂの下部の増幅器６Ｂとから構成される。
【００６６】
このように、ワンセグ放送信号再輻射装置１Ｂを、上部に電源重畳部４Ｂ、下部に増幅器６Ｂを備える二層構造としたため、ワンセグ放送信号再輻射装置１Ｂはブースタ発振の発生を防ぐことができる。更に、ワンセグ放送信号再輻射装置１Ｂ自体からの漏れ電波を少なくするために、ワンセグ放送信号再輻射装置１Ｂを、例えば、アルミニウムの筐体で覆うこととしてもよい。また、ワンセグ放送信号再輻射装置１Ｂの上部を、卓上ホルダの形状としたため、ワンセグ放送信号再輻射装置１Ｂは、携帯端末を安定して設置することができるとともに、既存の卓上ホルダを利用して、容易に製造することができる。
【図面の簡単な説明】
【００６７】
【図１】本発明の第１の実施の形態であるワンセグ放送信号再輻射装置の構成を模式的に示す構成図である。
【図２】本発明の第１の実施の形態であるワンセグ放送信号再輻射装置の動作を示したフローチャートである。
【図３】本発明の第２の実施の形態であるワンセグ放送信号再輻射装置の構成を模式的に示す構成図である。
【図４】本発明の第２の実施の形態であるワンセグ放送信号再輻射装置の動作を示したフローチャートである。
【図５】本発明の第３の実施の形態であるワンセグ放送信号再輻射装置の構成を模式的に示す構成図である。
【図６】本発明の第３の実施の形態であるワンセグ放送信号再輻射装置の動作を示したフローチャートである。
【図７】本発明の第３の実施の形態であるワンセグ放送信号再輻射装置の適用例を模式的に示す斜視図である。
【符号の説明】
【００６８】
１、１Ａ、１Ｂ  ワンセグ放送信号再輻射装置
２      入力レベル検知部（入力レベル検知手段）
３      減衰器（入力レベル減衰手段）
４Ａ、４Ｂ  電源重畳部（重畳手段）
５１Ａ  分離手段
５３Ａ  フィーダ（放送信号輻射手段）
ＡＮＴ  アンテナ（放送信号輻射手段）
Ｔ１、Ｔ１Ａ、Ｔ１Ｂ  端子（放送信号入力手段）
Ｔ３Ａ  端子（電源電圧供給手段）
Ｔ３Ｂ  端子（放送信号輻射手段）
【図１】
2008263531.tif 000003
【図２】
2008263531.tif 000004
【図３】
2008263531.tif 000005
【図４】
2008263531.tif 000006
【図５】
2008263531.tif 000007
【図６】
2008263531.tif 000008
【図７】
2008263531.tif 000009